(57)【要約】【課題】応答性及びＯＮ透過率の両方を好ましい状態に設定できるＩＰＳ方式でパッシブ型の液晶表示素子を提供する。【解決手段】ＩＰＳ方式でパッシブ型の液晶表示素子は、表示セグメント７１ｇにより所定の意匠を表示面に表示するセグメント表示型である。液晶表示素子は、液晶層と、液晶層を両側から挟み込む第１及び第２基板と、第１及び第２基板のそれぞれに設けられ、液晶層の液晶分子を接触面に設定されるラビング方向Ｒに沿って並べる配向膜と、表示面に沿う第１方向に延びるとともに、表示面に沿い第１方向に交わる第２方向に沿って配列される複数の第１電極１１ａ〜１１ｌと、第１方向に延びるとともに、第２方向に沿って各第１電極１１ａ〜１１ｌと交互に配列される複数の第２電極１２ａ〜１２ｌと、を備える。各電極１１ａ〜１１ｌ，１２ａ〜１２ｌが延びる第１方向とラビング方向Ｒとがなす角度αは５°〜１５°の範囲に設定される。【選択図】図２
2017044861.tif 000002
【特許請求の範囲】
【請求項１】
表示セグメントにより所定の意匠を表示面に表示するセグメント表示型であって、かつＩＰＳ方式でパッシブ型の液晶表示素子であって、
液晶層と、
前記液晶層を両側から挟み込むように位置する一対の基板と、
前記一対の基板のそれぞれに設けられ、前記液晶層に接する接触面を含み、前記接触面に接する前記液晶層の液晶分子を前記接触面に設定される配向方向に沿って並べる配向膜と、
前記表示セグメントに対応する範囲であって、前記一対の基板のうち何れか一方の基板に設けられ、前記表示面に沿う第１方向に延びるとともに、前記表示面に沿い前記第１方向に交わる第２方向に沿って配列される複数の第１電極と、
前記表示セグメントに対応する範囲であって、前記一方の基板に設けられ、前記第１方向に延びるとともに、前記第２方向に沿って前記各第１電極と交互に配列される複数の第２電極と、を備え、
前記表示面に直交する方向から見て、前記第１方向と前記配向方向とがなす角度は、５°〜１５°の範囲に設定される、
ことを特徴とする液晶表示素子。
【請求項２】
前記液晶表示素子は、
前記各第１電極の基端に電気的に接続される第１配線と、
前記各第２電極の基端に電気的に接続される第２配線と、を備え、
前記各第１電極の先端及び前記第２配線の間の距離と、前記各第２電極の先端及び前記第１配線の間の距離とのうち少なくとも何れか一方が５０μｍ以上に設定されている、
ことを特徴とする請求項１に記載の液晶表示素子。
【発明の詳細な説明】
【技術分野】
【０００１】
本発明は、液晶表示素子に関する。
【背景技術】
【０００２】
従来から、液晶表示素子として、基板の面方向に電界を加えることで液晶分子を回転させる面内スイッチング（ＩＰＳ：In-Plane Switching）方式の液晶表示素子が知られている。例えば、特許文献１に開示されるように、ＩＰＳ方式のアクティブ型液晶表示素子は、アクティブ素子としてＴＦＴ（Thin Film Transistor）がマトリクス状に配置される基板を備える。また、特許文献１に開示されるように、ＴＦＴを用いたＩＰＳ方式の液晶表示素子においては、櫛歯電極と下層電極とは、アレイ基板の厚さ方向に異なる位置に設けられ、アレイ基板の厚さ方向から見て互いに交差するように立体的に配線されている。
【先行技術文献】
【特許文献】
【０００３】
【特許文献１】再公表特許第２０１３／００１９８０号
【発明の概要】
【発明が解決しようとする課題】
【０００４】
上記特許文献１を含む従来技術では、ＩＰＳ方式のアクティブ型液晶表示素子は、ＴＦＴを用いるとともに、複数の電極は立体配線されている構成が一般的であった。このため、ＩＰＳ方式の液晶表示素子をパッシブ型に適用する場合、例えば、電極同士を立体的に配線せず、同一平面上に複数の電極を配置する構成が考えられる。しかし、ＩＰＳ方式でパッシブ型の液晶表示素子において、液晶表示素子の性能上、どのような構成が好適であるのか不明であった。特に、液晶表示素子の性能として、液晶表示素子における電極への電圧印加から点灯までの時間に基づく応答性と、電極へ電圧が印加された状態において光が液晶表示素子を通過する割合であるＯＮ透過率とをどのように両立させるかが不明であった。
【０００５】
本発明は、上記実状を鑑みてなされたものであり、応答性及びＯＮ透過率の両方を好ましい状態に設定できるＩＰＳ方式でパッシブ型の液晶表示素子を提供することを目的とする。
【課題を解決するための手段】
【０００６】
上記目的を達成するため、本発明に係る液晶表示素子は、表示セグメントにより所定の意匠を表示面に表示するセグメント表示型であって、かつＩＰＳ方式でパッシブ型の液晶表示素子であって、液晶層と、前記液晶層を両側から挟み込むように位置する一対の基板と、前記一対の基板のそれぞれに設けられ、前記液晶層に接する接触面を含み、前記接触面に接する前記液晶層の液晶分子を前記接触面に設定される配向方向に沿って並べる配向膜と、前記表示セグメントに対応する範囲であって、前記一対の基板のうち何れか一方の基板に設けられ、前記表示面に沿う第１方向に延びるとともに、前記表示面に沿い前記第１方向に交わる第２方向に沿って配列される複数の第１電極と、前記表示セグメントに対応する範囲であって、前記一方の基板に設けられ、前記第１方向に延びるとともに、前記第２方向に沿って前記各第１電極と交互に配列される複数の第２電極と、を備え、前記表示面に直交する方向から見て、前記第１方向と前記配向方向とがなす角度は、５°〜１５°の範囲に設定される。
【発明の効果】
【０００７】
本発明によれば、応答性及びＯＮ透過率の両方を好ましい状態に設定できる。
【図面の簡単な説明】
【０００８】
【図１】本発明の一実施形態に係る液晶表示素子の表示面の一部を拡大した平面図である。
【図２】本発明の一実施形態に係る液晶表示素子の表示セグメントに対応する電極の平面図である。
【図３】本発明の一実施形態に係る液晶表示素子の表示セグメントに対応する電極の平面図である。
【図４】本発明の一実施形態に係る図２のＡ−Ａ線断面図である。
【図５】本発明の一実施形態に係る（ａ）は電極とラビング方向とがなす角度を変化させた場合の応答時間及びＯＮ透過率を示した図であり、（ｂ）は当該（ａ）を折れ線グラフで示した図である。
【図６】本発明の一実施形態に係る（ａ）は電極の先端と配線との間の距離を変化させた場合の透過率及び異常点灯の有無を示した図であり、（ｂ）は当該（ａ）を折れ線グラフで示した図である。
【発明を実施するための形態】
【０００９】
本発明に係るＩＰＳ方式でパッシブ型の液晶表示素子を備えた液晶パネルの一実施形態について、図面を参照して説明する。
【００１０】
（概略構成）
液晶パネル１０は、図１に示すように、複数の表示セグメント７１ａ〜７１ｇが組み合わされることで所定の意匠を表示面７０に表示する、いわゆるセグメント表示型である。本例では、７つの表示セグメント７１ａ〜７１ｇにより、全体で数字の「８」を表す７セグメントが構成される。液晶パネル１０は、本例では、いわゆるノーマリブラックモードである。すなわち、表示面７０は全域に亘って黒色で表示され、表示面７０上に位置する複数の表示セグメント７１ａ〜７１ｇのうち何れかを所定の組み合わせで点灯（白表示）させることで数字又はアルファベットを表す。例えば、液晶パネル１０は、複数桁の数字を表すために複数組の表示セグメント７１ａ〜７１ｇを備え、複数組の表示セグメント７１ａ〜７１ｇによって車両情報、例えば、車両速度を表示面７０に表示する。
【００１１】
（液晶パネルの構成）
液晶パネル１０は、図２〜４に示すように、ＩＰＳ方式でパッシブ型の液晶表示素子１１と、液晶表示素子１１を挟み込む一対の偏光板３０Ｆ，３０Ｒとを備える。液晶表示素子１１は、液晶層５と、第１基板１Ｆ及び第２基板１Ｒと、第１電極１１ａ〜１１ｌ，２１ａ〜２１ｅ及び第２電極１２ａ〜１２ｌ，２２ａ〜２２ｅと、配線１５，１６，２５，２６と、第１配向膜３Ｆ及び第２配向膜３Ｒと、を備える。なお、本例での液晶の屈折率異方性Δｎは０．０９５であって、セルギャップは４．０μｍである。
【００１２】
（基板の構成）
第１基板１Ｆ及び第２基板１Ｒは、図４に示すように、それぞれ、例えば、ガラス又はプラスチック等から構成される矩形状の透明基板である。第１基板１Ｆ及び第２基板１Ｒは、互いに平行をなしつつ、液晶層５を挟んで対面している。第１基板１Ｆは液晶表示素子１１の最も表側に位置し、第２基板１Ｒは液晶表示素子１１の最も裏側に位置する。
【００１３】
（配向膜の構成）
図４に示すように、第１配向膜３Ｆは第１基板１Ｆの裏面（第２基板１Ｒに対向する面）上に形成され、第２配向膜３Ｒは第２基板１Ｒの表面（第１基板１Ｆに対向する面）上に形成されている。第１配向膜３Ｆ及び第２配向膜３Ｒは、それぞれ液晶層５と接する接触面３Ｆａ，３Ｒａを備える。本例では、第１配向膜３Ｆ及び第２配向膜３Ｒは、例えばポリイミドにより構成される。第１配向膜３Ｆ及び第２配向膜３Ｒの接触面３Ｆａ，３Ｒａには、それぞれ配向処理としてラビング処理が行われる。このラビング処理は、布を巻き付けたローラを各配向膜３Ｆ，３Ｒの接触面３Ｆａ，３Ｒａに接した状態で回転させることで、接触面３Ｆａ，３Ｒａに配向方向（ラビング方向Ｒ）を規定する処理である。本例において、各配向膜３Ｆ，３Ｒにおけるラビング方向Ｒは、それぞれ同一の方向（図４の紙面垂直方向）に沿って延びる。また、ラビング方向Ｒは、第１基板１Ｆ及び第２基板１Ｒの外形に対して平行または垂直である。
【００１４】
（電極の構成）
図２及び図３に示すように、第１電極１１ａ〜１１ｌ，２１ａ〜２１ｅ、第２電極１２ａ〜１２ｌ，２２ａ〜２２ｅ及び配線１５，１６，２５，２６は、それぞれ、酸化インジウムを主成分とするＩＴＯ（Indium Tin Oxide）膜等から構成される。すなわち、第１電極１１ａ〜１１ｌ，２１ａ〜２１ｅ及び第２電極１２ａ〜１２ｌ，２２ａ〜２２ｅは光を透過する透明電極である。
【００１５】
第１電極１１ａ〜１１ｌ，２１ａ〜２１ｅ、第２電極１２ａ〜１２ｌ，２２ａ〜２２ｅ及び配線１５，１６，２５，２６は、図２〜図４に示すように、第２基板１Ｒの表面上、より具体的には、第２配向膜３Ｒの接触面３Ｒａ上に形成されている。第１電極１１ａ〜１１ｌ，２１ａ〜２１ｅ及び第２電極１２ａ〜１２ｌ，２２ａ〜２２ｅは、それぞれ同一平面上に設けられていて、上記特許文献１のように立体配線されていない。また、例えば、必要に応じて、第１電極１１ａ〜１１ｌ，２１ａ〜２１ｅ、第２電極１２ａ〜１２ｌ，２２ａ〜２２ｅの各々を覆う絶縁膜を設けてもよい。第１電極１１ａ〜１１ｌ，２１ａ〜２１ｅはセグメント電極として構成され、第２電極１２ａ〜１２ｌ，２２ａ〜２２ｅはコモン電極として構成されている。各電極１１ａ〜１１ｌ，１２ａ〜１２ｌ，２１ａ〜２１e，２２ａ〜２２ｅは、長方形柱状に形成されている。図４に示すように、各電極１１ａ〜１１ｌ，１２ａ〜１２ｌ，２１ａ〜２１e，２２ａ〜２２ｅの幅Ｗは、本例では１０μｍに設定されている。この幅Ｗは、各電極１１ａ〜１１ｌ，１２ａ〜１２ｌ，２１ａ〜２１e，２２ａ〜２２ｅの長手方向に直交するとともに第１基板１Ｆの表面に沿う方向の長さである。
【００１６】
（表示セグメント７１ｇに対応する電極の構成）
図２に示すように、第１電極１１ａ〜１１ｌ及び第２電極１２ａ〜１２ｌは、表示セグメント７１ａ〜７１ｇのうち表示セグメント７１ｇに対応する範囲に設けられる。以下、表示セグメント７１ｇに対応する電極について代表して説明するが、表示セグメント７１ｇと同様の表示セグメント７１ａ，７１ｄについても同様に電極が構成されている。
【００１７】
表示セグメント７１ｇは、図２に示すように、ラビング方向Ｒに略直交した方向に長い略長方形状をなす。表示セグメント７１ｇにおける長手方向の両端は、それぞれ外側に向かって尖った形状をなす。第１電極１１ａ〜１１ｌ及び第２電極１２ａ〜１２ｌは、それぞれ全体で櫛歯状をなし、第１電極１１ａ〜１１ｌによって構成される櫛歯と、第２電極１２ａ〜１２ｌによって構成される櫛歯とが噛み合うように配置されている。
【００１８】
詳しくは、第１電極１１ａ〜１１ｌ及び第２電極１２ａ〜１２ｌは、図２に示すように、それぞれ計１２個の電極からなる。第１電極１１ａ〜１１ｌと第２電極１２ａ〜１２ｌとは、表示面７０に沿い、かつラビング方向Ｒに直交する方向に沿って交互に配列されている。この表示面７０に沿い、かつラビング方向Ｒに直交する方向は第２方向に相当する。
【００１９】
本例では、隣り合う第１電極１１ａ〜１１ｌと第２電極１２ａ〜１２ｌとの間の距離は１０μｍに設定されている。詳しくは、表示セグメント７１ｇの一端（図２右側端部）から他端（図２左側端部）に向かって、第１電極１１ａ、第２電極１２ａ、第１電極１１ｂ、第２電極１２ｂ、第１電極１１ｃ、第２電極１２ｃ、第１電極１１ｄ、第２電極１２ｄ、第１電極１１ｅ、第２電極１２ｅ、第１電極１１ｆ、第２電極１２ｆ、第１電極１１ｇ、第２電極１２ｇ、第１電極１１ｈ、第２電極１２ｈ、第１電極１１ｉ、第２電極１２ｉ、第１電極１１ｊ、第２電極１２ｊ、第１電極１１ｋ、第２電極１２ｋ、第１電極１１ｌ及び第２電極１２ｌの順で配置されている。各第１電極１１ａ〜１１ｌの基端（図２の下側端部）は、表示面７０に沿い、ラビング方向Ｒに直交する方向に表示セグメント７１ｇの外形線７１ｇ１における図２中の下辺に沿って延びる第１配線１５に電気的に接続されている。第１配線１５は、その先端側が表示セグメント７１ｇの一端（図２中の右側端部）の右側に向かって屈折している。第１電極１１ａを除く各第１電極１１ｂ〜１１ｌの先端は、表示セグメント７１ｇの外形線７１ｇ１における図２中の上半分に対応して位置する。第１電極１１ａは、表示セグメント７１ｇの一端を通過するように設けられる。第１電極１１ａは、第１電極１１ｂ〜１１ｌより長さが短い。各第２電極１２ａ〜１２ｌの基端（図２の上側端部）は、表示面７０に沿い、ラビング方向Ｒに直交する方向に表示セグメント７１ｇの外形線７１ｇ１における図２中の上辺に沿って延びる第２配線１６に電気的に接続されている。第２配線１６は、その先端側が表示セグメント７１ｇの他端（図２中の左側端部）の左側に向かって屈折している。第２電極１２ｌを除く各第２電極１２ａ〜１２ｋの先端は、表示セグメント７１ｇの外形線７１ｇ１における図２中の下半分に対応して位置する。第２電極１２ｌは、表示セグメント７１ｇの他端を通過するように設けられる。第２電極１２ｌは、第２電極１２ａ〜１２ｋより長さが短い。
【００２０】
第１電極１１ａ〜１１ｌ及び第２電極１２ａ〜１２ｌは、ラビング方向Ｒに対して角度αをなす方向に延びている。この角度αは、図２において、ラビング方向Ｒを基準として反時計回り方向に、５°〜１５°の範囲内の角度に設定されている。第１電極１１ａ〜１１ｌと第２電極１２ａ〜１２ｌとは互いに平行をなしている。なお、第１電極１１ａ〜１１ｌ及び第２電極１２ａ〜１２ｌが延びる方向は第１方向に相当する。
【００２１】
また、各第１電極１１ａ〜１１ｌの先端と第２配線１６との間の距離Ｄは５０μｍ以上に設定されている。同様に、第２電極１２ａ〜１２ｌの先端と第１配線１５との間の距離Ｄは５０μｍ以上に設定されている。
【００２２】
（表示セグメント７１ｃに対応する電極の構成）
図３に示すように、第１電極２１ａ〜２１ｅ及び第２電極２２ａ〜２２ｅは、表示セグメント７１ａ〜７１ｇのうち表示セグメント７１ｃに対応する範囲に設けられる。以下、表示セグメント７１ｃに対応する電極について代表して説明するが、表示セグメント７１ｃと同一方向に延びる表示セグメント７１ｂ，７１ｅ，７１ｆについても同様に電極が構成されている。
【００２３】
表示セグメント７１ｃは、ラビング方向Ｒに略平行な方向に長い略長方形状をなす。表示セグメント７１ｃにおける長手方向の両端は、それぞれ外側に向かって尖った形状をなす。第１電極２１ａ〜２１ｅ及び第２電極２２ａ〜２２ｅは、それぞれ全体で櫛歯状をなし、第１電極２１ａ〜２１ｅによって構成される櫛歯と、第２電極２２ａ〜２２ｅによって構成される櫛歯とが噛み合うように配置されている。
【００２４】
詳しくは、第１電極２１ａ〜２１ｅ及び第２電極２２ａ〜２２ｅは、図３に示すように、それぞれ計５個の電極からなる。第１電極２１ａ〜２１ｅと第２電極２２ａ〜２２ｅとは、ラビング方向Ｒに直交する方向に沿って交互に配列されている。
【００２５】
各第１電極２１ａ〜２１ｅの基端（図３の下側端部）は第１配線２５に電気的に接続されている。第１配線２５は、表示セグメント７１ｃの外形線７１ｃ１の一端（図３の下端）に対応した形状、本例では略「＞」字状をなす。各第１電極２１ａ〜２１ｅの先端は、表示セグメント７１ｃの外形線７１ｃ１の他端（図３の上端）に対応して位置する。各第２電極２２ａ〜２２ｅの基端（図２の上側端部）は第２配線２６に接続されている。第２配線２６は、表示セグメント７１ｃの外形線７１ｃ１の他端（図３の上端）に対応した形状、本例では略「＞」字状をなす。各第２電極２２ａ〜２２ｅの先端は、表示セグメント７１ｃの外形線７１ｃ１の一端（図３の下端）に対応して位置する。
【００２６】
第１電極２１ａ〜２１ｅ及び第２電極２２ａ〜２２ｅは、ラビング方向Ｒに対して角度αをなす方向に延びている。この角度αは、図３において、ラビング方向Ｒを基準として反時計回り方向に、５°〜１５°の範囲内の角度に設定されている。第１電極２１ａ〜２１ｅと第２電極２２ａ〜２２ｅとは互いに平行をなしている。
また、各第１電極２１ａ〜２１ｅの先端と第２配線２６との間の距離Ｄは５０μｍ以上に設定されている。同様に、第２電極２２ａ〜２２ｅの先端と第１配線２５との間の距離Ｄは５０μｍ以上に設定されている。
【００２７】
（偏光板の構成）
各偏光板３０Ｆ，３０Ｒは、矩形状に形成され、一方の面側から入射した光を、吸収軸に直交する透過軸に沿った直線偏光として他方の面側から出射するように構成されている。本例では、偏光板３０Ｆ，３０Ｒとして、ポラテクノ製のＳＫＮ−１８２４３Ｔが使用されている。図４に示すように、第１偏光板３０Ｆは液晶パネル１０の最も表側に位置し、第２偏光板３０Ｒは液晶パネル１０の最も裏側に位置する。第１偏光板３０Ｆの吸収軸Ａｘｆ（図２の右下参照）が第１配向膜３Ｆのラビング方向Ｒに略平行となるように、第１偏光板３０Ｆは第１基板１Ｆに貼り付けられている。第２偏光板３０Ｒの吸収軸Ａｘｒ（図２の右下参照）が第２配向膜３Ｒのラビング方向Ｒに略垂直となるように、第２偏光板３０Ｒは第２基板１Ｒに貼り付けられている。すなわち、第１偏光板３０Ｆ及び第２偏光板３０Ｒは、第１基板１Ｆの厚さ方向から見て、それぞれの吸収軸Ａｘｆ，Ａｘｒが互いに直交するように配置されている。また、第１偏光板３０Ｆの吸収軸Ａｘｆは第１偏光板３０Ｆの外形に対して平行または垂直である。第２偏光板３０Ｒの吸収軸Ａｘｒは第２偏光板３０Ｒの外形に対して平行または垂直である。
【００２８】
（動作）
第１配線１５と第２配線１６とから所定のタイミングで第１電極１１ａ〜１１ｌと第２電極１２ａ〜１２ｌとの間に電圧が印加されたとき、この電圧が印加された液晶層５の液晶分子が９０°水平方向に回転する。この状態において、液晶パネル１０の裏側に配置される光源（図示略）からの光が液晶パネル１０に照射された場合、回転した液晶分子により光の偏光軸が変化することで、光は第１偏光板３０Ｆを通過可能となる。これにより、ユーザから見て表示セグメント７１ｇが点灯する。第１配線２５と第２配線２６とから所定のタイミングで第１電極２１ａ〜２１ｅと第２電極２２ａ〜２２ｅとの間に電圧が印加されたときも同様に、ユーザから見て表示セグメント７１ｃが点灯する。
【００２９】
（電極とラビング方向とがなす角度αの最適化のための計算及び実験結果）
本願の発明者は、上述した本実施形態の構成において、図５（ａ），（ｂ）に示すように、電極とラビング方向とがなす角度αを０．５°〜４５°の範囲内で変化させたときの液晶パネル１０の応答時間及びＯＮ透過率について計算及び実験を行った。なお、実験においては、図２の構成の電極を使用した。応答時間とは、電極に電圧を印加してから表示セグメント７１ａ〜７１ｇが点灯するまでの時間である。応答時間は小さいほど応答性が高くなるため好ましい。ＯＮ透過率とは、電極に電圧が印加された状態において、光が液晶パネル１０を通過する割合である。
【００３０】
応答時間は気温が２５℃の条件のもと算出されている。算出された応答時間は、図５（ｂ）の黒塗りの三角で示すように、電極とラビング方向とがなす角度αが大きくなるにつれて概ね小さくなる。詳しくは、この角度αが０°〜４°の範囲においては角度αの増加に対する応答時間の減少率は大きく、この角度αが５°以上の範囲においては角度αの増加に対する応答時間の減少率は小さい。よって、応答性の観点からは、電極とラビング方向とがなす角度αは５°以上であることが好ましい。
【００３１】
本願の発明者は、上記計算結果の妥当性を確かめるため、常温（２５℃）及び低温（−３０℃）の条件において応答時間を計測する実験を行った。その結果、常温（２５℃）時においては、図５（ａ），（ｂ）に示すように、角度αが０°〜４°の範囲内の２°にあるときの応答時間（５２ｍｓ）より、角度αが５°以上の範囲内の１０°にあるときの応答時間（２１ｍｓ）が短くなる。低温（−３０℃）時においては、角度αが０°〜４°の範囲内の２°にあるときの応答時間（４９８１ｍｓ）より、角度αが５°以上の範囲内の１０°にあるときの応答時間（２３６０ｍｓ）が短くなる。従って、常温及び低温の何れの実験結果からも、上記計算結果と同様の傾向が得られた。
【００３２】
計算によって算出したＯＮ透過率は、図５（ｂ）の黒塗りの四角で示すように、電極とラビング方向とがなす角度αが０．５°から１５°までの範囲においてＯＮ透過率は１６％で一定である。本願の発明者は、上記計算結果の妥当性を確かめるため、この角度αを２°及び１０°に設定したうえでＯＮ透過率を計測する実験を行ったが、何れの場合も、上記算出されたＯＮ透過率と同様に、ＯＮ透過率は１６％であった。この角度αが１５°より大きい範囲において、角度αが大きくなるにつれてＯＮ透過率は減少する。よって、ＯＮ透過率の観点からは、電極とラビング方向とがなす角度αは１５°以下であることが好ましい。
以上により、応答性及びＯＮ透過率の両方の観点からは、電極とラビング方向とがなす角度αは５°〜１５°の範囲内であることが好ましい。さらに、この角度αは１０°に設定されることがより好ましい。
【００３３】
（電極の先端と配線との間の距離Ｄの最適化のための実験結果）
本願の発明者は、上述した本実施形態の構成において、図６（ａ），（ｂ）に示すように、第２電極１２ａ〜１２ｌの先端と第１配線１５との間の距離Ｄを５μｍ〜２００μｍの範囲内で変化させたときの配線間の透過率及び異常点灯の有無について調べる実験を行った。この異常点灯とは、図２に示すように、例えば、第２電極１２ｆの先端と第１配線１５との間に意図せず電圧が印加されることで、表示セグメント７１ｇの外に位置する位置Ｐ１が点灯することを言う。実験結果によると、この距離Ｄが５０μｍ未満にあるとき、異常点灯が生じ得る程度に配線間の透過率が大きくなる。具体的には、この距離Ｄが５０μｍ未満にあるとき、配線間の透過率は、０．３９％〜２．３４％の範囲内となる。この距離Ｄが５０μｍ以上にあるとき、異常点灯が生じ得ない程度に配線間の透過率が小さい。具体的には、この距離Ｄが５０μｍ以上にあるとき、配線間の透過率は、０．０４％となる。
よって、第２電極１２ａ〜１２ｌの先端と第１配線１５との間の距離Ｄは５０μｍ以上であることが好ましい。なお、第２電極１２ａ〜１２ｌの先端と第１配線１５との間の距離Ｄに限らず、第１電極１１ａ〜１１ｌの先端と第２配線１６との間の距離Ｄも５０μｍ以上であることが好ましい。同様の観点から、図３に示すように、第２電極２２ａ〜２２ｅの先端と第１配線２５との間の距離Ｄ及び第１電極２１ａ〜２１ｅの先端と第２配線２６との間の距離Ｄも５０μｍ以上であることが好ましい。
【００３４】
（効果）
以上、説明した一実施形態によれば、以下の効果を奏する。
【００３５】
（１）ＩＰＳ方式でパッシブ型の液晶表示素子１１は、表示セグメント７１ａ〜７１ｇにより所定の意匠を表示面７０に表示するセグメント表示型である。液晶表示素子１１は、液晶層５と、液晶層５を両側から挟み込むように位置する第１及び第２基板１Ｆ，１Ｒと、第１及び第２基板１Ｆ，１Ｒのそれぞれに設けられ、液晶層５に接する接触面３Ｆａ，３Ｒａを含み、接触面３Ｆａ，３Ｒａに接する液晶層５の液晶分子を接触面３Ｆａ，３Ｒａに設定される配向方向（ラビング方向Ｒ）に沿って並べる配向膜３Ｆ，３Ｒと、各表示セグメント７１ａ〜７１ｇに対応する範囲であって、第２基板１Ｒに設けられ、表示面７０に沿う第１方向（ラビング方向Ｒに対して角度αだけ傾斜した方向）に延びるとともに、表示面７０に沿い第１方向に交わる第２方向（本例ではラビング方向Ｒに直交する方向）に沿って配列される複数の第１電極１１ａ〜１１ｌ，２１ａ〜２１ｅと、各表示セグメント７１ａ〜７１ｇに対応する範囲であって、第２基板１Ｒに設けられ、第１方向に延びるとともに、第２方向に沿って各第１電極１１ａ〜１１ｌ，２１ａ〜２１ｅと交互に配列される複数の第２電極１２ａ〜１２ｌ，２２ａ〜２２ｅと、を備える。表示面７０に直交する方向から見て、各電極１１ａ〜１１ｌ，２１ａ〜２１ｅ，１２ａ〜１２ｌ，２２ａ〜２２ｅが延びる第１方向とラビング方向Ｒとがなす角度αは、５°〜１５°の範囲に設定される。図５（ａ），（ｂ）に示すように、応答性の観点からは、この角度αは、５°以上であることが好ましい。また、ＯＮ透過率の観点からは、この角度αは、１５°以下であることが好ましい。よって、角度αを５°〜１５°の範囲に設定することで、応答性及びＯＮ透過率の両方を好ましい状態に設定できる。
【００３６】
（２）液晶表示素子１１は、各第１電極１１ａ〜１１ｌ，２１ａ〜２１ｅの基端に電気的に接続される第１配線１５，２５と、各第２電極１２ａ〜１２ｌ，２２ａ〜２２ｅの基端に電気的に接続される第２配線１６，２６と、を備える。各第１電極１１ａ〜１１ｌ，２１ａ〜２１ｅの先端及び第２配線１６，２６の間の距離Ｄと、各第２電極１２ａ〜１２ｌ，２２ａ〜２２ｅの先端及び第１配線１５，２５の間の距離Ｄとはそれぞれ５０μｍ以上に設定されている。この構成によれば、表示セグメント７１ａ〜７１ｇ外において電圧が印加されることで、例えば、表示セグメント７１ａ〜７１ｇ外の位置（例えば、図２における第２電極１２ｆ及び第１配線１５の間の位置Ｐ１を参照）においてＯＮ透過率が上昇すること、ひいてはその位置で異常点灯することを抑制できる。
【００３７】
（変形例）
なお、上記実施形態は、これを適宜変更した以下の形態にて実施することができる。
【００３８】
上記実施形態では、ラビング処理により配向膜３Ｆ，３Ｒに配向処理が行われていたが、光配向等の他の公知の配向処理が行われてもよい。
【００３９】
上記実施形態では、各電極１１ａ〜１１ｌ，１２ａ〜１２ｌ，２１ａ〜２１e，２２ａ〜２２ｅは、第２基板１Ｒに設置されていたが、第１基板１Ｆに設置されてもよい。
【００４０】
上記実施形態では、角度αは、図２において、ラビング方向Ｒを基準として反時計回り方向に、５°〜１５°の範囲で設定されていたが、ラビング方向Ｒを基準として時計回り方向に、５°〜１５°の範囲で設定されてもよい。
【００４１】
上記実施形態における電極の形状及び数は表示セグメントの形状に合わせて変更可能である。
【００４２】
上記実施形態では、液晶表示素子１１は、７セグメント（表示セグメント７１ａ〜７１ｇ）により数字を表示していたが、８つ以上又は７つ未満の表示セグメントにより数字を表示してもよい。また、数字以外の文字、例えば「ｋｍ／ｈ」等を表示する表示セグメントであってもよい。
【００４３】
上記実施形態では、第１電極１１ａ〜１１ｌ，２１ａ〜２１ｅと第２電極１２ａ〜１２ｌ，２２ａ〜２２ｅとは、ラビング方向Ｒに直交する方向に沿って交互に配列されていたが、ラビング方向Ｒに交わる方向に沿って交互に配列されていればラビング方向Ｒに直交する方向に沿って配列されていなくてもよい。
【００４４】
上記実施形態において、各第１電極１１ａ〜１１ｌ，２１ａ〜２１ｅの先端及び第２配線１６，２６の間の距離Ｄと、各第２電極１２ａ〜１２ｌ，２２ａ〜２２ｅの先端及び第１配線１５，２５の間の距離Ｄとの何れか一方のみが５０μｍ以上に設定されてもよい。さらに、これら各距離Ｄが５０μｍ未満に設定されてもよい。
【００４５】
上記実施形態では、第１電極１１ａ〜１１ｌ，２１ａ〜２１ｅと第２電極１２ａ〜１２ｌ，２２ａ〜２２ｅとは互いに平行をなしていたが平行をなしていなくてもよい。
【００４６】
上記実施形態では、液晶パネル１０は、ノーマリブラックモードであったが、例えば、偏光板３０Ｆ，３０Ｒの向きを変えることで、ノーマリホワイトモードとして構成してもよい。
【符号の説明】
【００４７】
１Ｆ…第１基板
１Ｒ…第２基板
３Ｆ…第１配向膜
３Ｒ…第２配向膜
３Ｆａ，３Ｒａ…接触面
５…液晶層
１０…液晶パネル
１１…液晶表示素子
１１ａ〜１１ｌ，２１ａ〜２１ｅ…第１電極
１２ａ〜１２ｌ，２２ａ〜２２ｅ…第２電極
１５，２５…第１配線
１６，２６…第２配線
３０Ｆ…第１偏光板
３０Ｒ…第２偏光板
７０…表示面
７１ａ〜７１ｇ…表示セグメント
７１ｃ１，７１ｇ１…外形線
【図１】
2017044861.tif 000003
【図２】
2017044861.tif 000004
【図３】
2017044861.tif 000005
【図４】
2017044861.tif 000006
【図５】
2017044861.tif 000007
【図６】
2017044861.tif 000008